(57)【要約】      （修正有）【課題】自動組み立て装置を使用して組み立てが可能であり、且つ箱型に成形した後にも変形し難い、レンチキュラーレンズが貼設されたシート部材を用いた箱型容器を提供する。【解決手段】一方面部において、細長半円柱形の凸レンズ１２が径方向に並列して配設されたレンチキュラーレンズ１１が貼設されたシート部材１０と、上記シート部材において上記凸レンズの方向に沿って形成された軸方向折り目１３と、上記軸方向折り目と直交する方向に配設された径方向折り目１４とを備え、上記軸方向折り目、径方向折り目に沿って所定手順で折り曲げることによって組み立てられる箱容器であって、上記軸方向折り目の折り曲げ強度は１８０ｇから２５０ｇの範囲に調整されると共に、上記径方向折り目の折り曲げ強度は２２０ｇから３００ｇの範囲に調整された構成とする。【選択図】図１
0003163321.tif 000002
【実用新案登録請求の範囲】
【請求項１】
一方面部において、細長半円柱形の凸レンズが径方向に並列して配設されたレンチキュラーレンズが貼設されたシート部材と、
上記シート部材において上記凸レンズの方向に沿って形成された軸方向折り目と、上記軸方向折り目と直交する方向に配設された径方向折り目とを備え、
上記軸方向折り目、径方向折り目に沿って所定手順で折り曲げることによって組み立てられる箱容器であって、
上記軸方向折り目の折り曲げ強度は１８０ｇから２５０ｇの範囲に調整されると共に、
上記径方向折り目の折り曲げ強度は２２０ｇから３００ｇの範囲に調整されていることを特徴とする箱型容器。
【請求項２】
上記軸方向折り目及び上記径方向折り目に沿って、切り込み部分の長さ寸法及び切り込み部分の間隔寸法が夫々０．７ｍｍであるミシン目が形成され、
上記軸方向折り目の折り曲げ強度は１８０ｇから２５０ｇの範囲に調整されると共に、
上記径方向折り目の折り曲げ強度は２２０ｇから２８０ｇの範囲に調整されていることを特徴とする請求項１記載の箱型容器。
【請求項３】
上記軸方向折り目及び上記径方向折り目に沿って、幅寸法０．２ｍｍから０．５ｍｍの溝部が形成され、
上記軸方向折り目の折り曲げ強度は１８０ｇから２２０ｇの範囲に形成されると共に、
上記径方向折り目の折り曲げ強度は２２０ｇから３００ｇの範囲に調整されていることを特徴とする請求項１記載の箱型容器。
【請求項４】
上記箱容器は煙草用パッケージであることを特徴とする請求項１から請求項３いずれか１項に記載の箱型容器。
【考案の詳細な説明】
【技術分野】
【０００１】
本考案は、一方面部において、細長半円柱形の凸レンズが径方向に並列して配設されたレンチキュラーレンズが貼設されたシート部材と、上記シート部材において上記凸レンズの方向に沿って形成された軸方向折り目と、上記軸方向折り目と直交する方向に配設された径方向折り目とを備え、上記軸方向折り目、径方向折り目に沿って所定手順で折り曲げることによって組み立てられる箱容器に関する。
【背景技術】
【０００２】
煙草用パッケージには、薄紙製の袋状の容器の他、開閉可能な蓋部を有する紙製の箱型容器が採用されている。
箱容器は、袋状容器と比較して、潰れ難く、また高級感の外観品質を備えていることから、近年は箱型容器が採用されることが多い。
【０００３】
煙草用パッケージの外表面部には、煙草のブランドを示す文字及び装飾が施されている。
喫煙経験の短い若年層等の場合は、喫煙する煙草の銘柄が固定していないため、パッケージの装飾等の外観で、銘柄を選択することがあることから、パッケージの装飾内容は非常に重要である。
しかしながら、現在の煙草用パッケージの装飾は、銘柄のロゴマークと、定型模様から形成されているため、視覚的変化に乏しく、他製品との差別化が十分に行われないという不具合を有していた。
【０００４】
上記不具合を解決するため、パッケージの装飾にレンチキュラーレンズを用いた装飾手段を用いる方法がある。
レンチキュラーレンズとは、透明な合成樹脂製のシート材の一方面部にかまぼこ型（半円筒形）の凸レンズを多数並列することにより形成され、上記シート材の他方面部に所定の図絵が配置されている。
上記凸レンズの光の屈折作用により、視認角度が移動することによって視認できる図絵の内容が切り替わる、所謂チェンジング作用、及び左右の目の視角差を利用して、左右の目に別の図絵を視認させることにより、図絵が立体的に突出して視認される所謂３Ｄ作用等を奏する。
上記により、例えば、上記チェンジング作用によって、タバコ用パッケージの装飾模様を切り替える、若しくは、３Ｄ作用を利用することによって、ロゴマークや模様を浮き出させて視認させることによって、斬新な装飾効果が期待できる。
【０００５】
しかしながら、従来の箱型容器の場合、所定形状に展開された厚紙を、組み立て装置によって順次折り込んでいくことによって組み立てられるが、一方面部において、細長半円柱形の凸レンズが径方向に並列して配設されたレンチキュラーレンズが貼設されたシート部材を上記厚紙に置き換えた場合、組み立て装置で折り込みを行う際に、折り曲げ強度が大き過ぎると折り込み不足、小さすぎると折り込み過剰が発生し、組み立てがスムーズに行われず、且つ箱型に成形した後にも変形し易くなるため、従来の組み立て装置をそのまま転用することができないと言う不具合を有していた。
【０００６】
また、厚紙と異なり、レンチキュラーレンズが貼設されたシート部材の場合は、
折線が凸レンズに平行方向即ち軸方向に沿っているか、若しくは直交方向即ち径方向に沿っているかによって、折り曲げる際の弾力等が異なるため、従来の組み立て装置を用いるためには、折線の方向によって、折り曲げ強度を所定の範囲に調整する必要があった。
しかしながら、現在までにおいて、上記の調整が行われた実績は無く、既存の自動組み立て装置を使用可能であり、且つレンチキュラーレンズが貼設されたシート部材から形成された箱型容器は実現されていなかった。
【考案の開示】
【考案が解決しようとする課題】
【０００７】
本考案の解決する課題は、既存の自動組み立て装置を使用して組み立てが可能であり、且つ箱型に成形した後にも変形し難い、レンチキュラーレンズが貼設されたシート部材を用いた箱型容器を提供することにある。
【課題を解決するための手段】
【０００８】
上記課題を解決するために、請求項１に記載した考案に係る箱型容器は、一方面部において、細長半円柱形の凸レンズが径方向に並列して配設されたレンチキュラーレンズが貼設されたシート部材と、上記シート部材において上記凸レンズの方向に沿って形成された軸方向折り目と、上記軸方向折り目と直交する方向に配設された径方向折り目とを備え、上記軸方向折り目、径方向折り目に沿って所定手順で折り曲げることによって組み立てられる箱容器であって、上記軸方向折り目の折り曲げ強度は１８０ｇから２５０ｇの範囲に形成されると共に、上記径方向折り目の折り曲げ強度は２２０ｇから３００ｇの範囲に形成されていることを特徴する。
【０００９】
上記において、折り曲げ強度とは、折線に沿って折り曲げた場合に、折り曲げ部分が元に戻ろうとする付勢力を単位グラム（ｇ）で表したものであり、上記の範囲に折り曲げ強度に調整することによって、自動組み立て装置での組み立て過程において、折り込み不足、及び折り込み過剰が発生することを防止することができる。
【００１０】
また、請求項２に記載した考案に係る箱型容器は、上記軸方向折り目及び上記径方向折り目に沿って、切り込み部分の長さ寸法及び切り込み部分の間隔寸法が夫々０．７ｍｍであるミシン目が形成され、上記軸方向折り目の折り曲げ強度は１８０ｇから２５０ｇの範囲に形成されると共に、上記径方向折り目の折り曲げ強度は２２０ｇから２８０ｇの範囲に調整されていることを特徴とする。
従って、上記ミシン目によって、上記軸方向折り目及び上記径方向折り目が、より折り曲げ易くなると共に、上記ミシン目の間隔寸法を上記範囲にすることによって、折り曲げ強度が上記値に調整され、自動組み立て装置での組み立て過程において、折り込み不足、及び折り込み過剰が発生することを防止することができる。
【００１１】
また、請求項３に記載した考案に係る箱型容器は、上記軸方向折り目及び上記径方向折り目に沿って、幅寸法０．２ｍｍから０．５ｍｍの溝部が形成され、上記軸方向折り目の折り曲げ強度は１８０ｇから２２０ｇの範囲に形成されると共に、上記径方向折り目の折り曲げ強度は２２０ｇから３００ｇの範囲に調整されていることを特徴とする。
従って、上記溝部によって、上記軸方向折り目及び上記径方向折り目が、より折り曲げ易くなると共に、上記溝部の幅を上記範囲にすることによって、折り曲げ強度が上記値に調整され、自動組み立て装置での組み立て過程において、折り込み不足、及び折り込み過剰が発生することを防止することができる。
【００１２】
また、請求項４に記載した考案に係る箱型容器は、上記箱容器は煙草用パッケージであることを特徴とする。
【考案の効果】
【００１３】
請求項１の考案にあっては、一方面部において、細長半円柱形の凸レンズが径方向に並列して配設されたレンチキュラーレンズが貼設されたシート部材と、上記シート部材において上記凸レンズの方向に沿って形成された軸方向折り目と、上記軸方向折り目と直交する方向に配設された径方向折り目とを備え、上記軸方向折り目、径方向折り目に沿って所定手順で折り曲げることによって組み立てられる箱容器であって、上記軸方向折り目の折り曲げ強度は１８０ｇから２５０ｇの範囲に形成されると共に、上記径方向折り目の折り曲げ強度は２２０ｇから３００ｇの範囲に形成されていることから、自動組み立て装置での組み立て過程において、折り込み不足、及び折り込み過剰を防止できるため、既存の自動組み立て装置を使用して組み立てが可能であり、且つ箱型に成形した後にも変形し難い、レンチキュラーレンズが貼設されたシート部材を用いた箱型容器を提供することができる。
【００１４】
また、請求項２及び３に記載した考案に係る箱型容器は、折り目に沿ってミシン目若しくは溝部を設けることによって、折り曲げ操作を行い易くなると共に、ミシン目の場合は、切り込み部分の長さ寸法及び切り込み部分の間隔寸法を夫々０．７ｍｍに形成し、溝部の場合は、幅寸法０．２ｍｍから０．５ｍｍに形成することによって、既存の自動組み立て装置により適用し易くなる。
【００１５】
また、請求項４に記載した考案に係る箱型容器は、上記箱容器は煙草用パッケージであることから、斬新で装飾性に富んだ煙草用のパッケージを提供することができる。
【図面の簡単な説明】
【００１６】
【図１】本考案の一実施の形態を示し、実施例の形態において、折り目にミシン目を形成した場合の箱型容器の展開図の一例である。
【図２】本考案の一実施の形態を示し、実施例の形態において、折り目に溝部を形成した場合の箱型容器の展開図の一例である。
【図３】本実施例に係るシート部材の一部拡大断面図である。
【考案を実施するための最良の形態】
【００１７】
本考案を実施するための形態について、箱型容器が煙草用パッケージである場合を例に添付図面を用いて以下説明する。
図１に示すように、本実施例に係る箱型容器（図示せず）は、展開状態において、一方面部において、細長半円柱形の凸レンズ１２が径方向に並列して配設されたレンチキュラーレンズ１１が貼設されたシート部材１０から形成され、上記シート部材１０において上記凸レンズ１２の方向に沿って形成された軸方向折り目１３と、上記凸レンズ１２の径方向に沿って形成された径方向折り目１４とを備えている。
また、上記軸方向折り目１３及び上記径方向折り目１４に沿って、切り込み部分の長さ寸法及び切り込み部分の間隔寸法が夫々０．７ｍｍであるミシン目１５が形成されている。
【実施例１】
【００１８】
本実施例の構成について図面を用いて説明する。
図３に示すように、上記シート部材１０は、合成樹脂からなるシート本体部１６と、上記シート本体部１６の一方面部に多数並列して配置された凸レンズ１２と、上記シート本体部１６の他方面部側に配設された所定の図絵１７とを備えている。
なお、上記図絵１７は、上記シート本体部１６の他方面部に直接印刷する、若しくは別途シート部材に印刷して上記シート本体部１６の他方面部に貼設しても良い。
【００１９】
また、図１に示すように、本実施例に係る煙草用パッケージを展開した状態のシート部材１０は、蓋部及び上面部形成部１８と、正面部形成部１９と、背面部形成部２０と、底面部形成部２１及び側面部形成部２２とを備え、レンチキュラーレンズ１１の凸レンズ１２は、夫々図中矢印Ａに沿って配設されると共に、図中矢印Ｂに沿って並列して配置されている。
即ち、上記シート部材１０上において、上記軸方向折り目１３は、上記凸レンズの軸方向沿って形成されると共に、上記径方向折り目１４は軸方向折り目１３の直交方向に沿って形成されている。
【００２０】
またミシン目１５は長さ寸法０．７ｍｍに形成された切り込み２１が、０．７ｍｍずつ離間して等間隔に配置されている。
【００２１】
上記ミシン目１５の切り込み２１の長さ寸法及び間隔寸法を上記数値とすることによって、上記軸方向折り目１３の折り曲げ強度は１８０ｇから２５０ｇの範囲に調整されると共に、上記径方向折り目の折り曲げ強度は２２０ｇから２８０ｇの範囲に調整される。１８０ｇから２５０ｇの範囲に形成されると共に、
上記径方向折り目の折り曲げ強度は２２０ｇから２８０ｇの範囲に調整されるため、自動組み立て装置において、常に最適な折り曲げ状態に保持され、また、且つ箱型に成形した後にも変形し難い煙草用パッケージを提供できる。
【実施例２】
【００２２】
また、図２は、折り目に溝部を形成した場合の箱型容器の展開状態を示している。
図２に示すように、溝部２３は、軸方向折り目１３及び上記径方向折り目１４に沿って、幅寸法０．２ｍｍから０．５ｍｍに形成されている。
上記溝部２３の幅寸法を上記数値とすることによって、上記軸方向折り目１３の折り曲げ強度は１８０ｇから２２０ｇの範囲に調整されると共に、上記径方向折り目の折り曲げ強度は２２０ｇから３００ｇの範囲に調整されるため、自動組み立て装置において、常に最適な折り曲げ状態に保持され、また、且つ箱型に成形した後にも変形し難い煙草用パッケージを提供できる。
【００２３】
なお、上記実施例においては、箱型容器が煙草用パッケージである場合を例に説明したが、箱型容器の形状、及び用途は何ら限定されず、収納する商品等によって、適宜大きさ寸法及び形状を変更することができる。
【産業上の利用可能性】
【００２４】
本考案は、一方面部において、細長半円柱形の凸レンズが径方向に並列して配設されたレンチキュラーレンズが貼設されたシート部材と、上記シート部材において上記凸レンズの方向に沿って形成された軸方向折り目と、上記軸方向折り目と直交する方向に配設された径方向折り目とを備え、上記軸方向折り目、径方向折り目に沿って所定手順で折り曲げることによって組み立てられる箱容器に適用可能である。
【符号の説明】
【００２５】
１０  箱型容器のシート部材
１１  レンチキュラーレンズ
１２  凸レンズ
１３  軸方向折り目
１４  径方向折り目
１５  ミシン目
１６  シート本体部
１７  図絵
１８  蓋部及び上面部形成部
１９  正面部形成部
２０  背面部形成部
２１  底面部形成部
２２  側面部形成部
２３  溝部
【図１】
0003163321.tif 000003
【図２】
0003163321.tif 000004
【図３】
0003163321.tif 000005